(57)【要約】【課題】簡単で手軽に作業の邪魔にならない状態で使用可能な街路灯カバー落下防止具及び街路灯取扱方法を提供する。【解決手段】二個の保持部材１１を紐１２で連結した街路灯カバー落下防止具１０を用い、二個の保持部材１１により街路灯１の本体２及びカバー３を各々挟持することで、本体２及びカバー３を連結する。【選択図】図３
2007128780.tif 000002
【特許請求の範囲】
【請求項１】
灯具が設けられる本体に開閉自在にカバーを取付けた街路灯に用いられ、本体もしくはカバーを挟持する保持部材を二個備え、二個の保持部材を紐部材で連結し、カバーと本体のそれぞれに保持部材を挟持させることを特徴とする街路灯カバー落下防止具。
【請求項２】
請求項１に記載の街路灯カバー落下防止具において、保持部材には本体もしくはカバーを挟持する弾性吸着手段が対向して備えられていることを特徴とする街路灯カバー落下防止具。
【請求項３】
請求項１または２に記載の街路灯カバー落下防止具において、保持部材は、一対の挟持部が弾性力により互いに当接する方向に付勢されてなるピンチ部材であることを特徴とする街路灯カバー落下防止具。
【請求項４】
灯具が設けられる本体に開閉自在にカバーを取付けた街路灯を取扱うに際し、紐部材で連結された一対の保持部材を用い、カバーを開いた時に一方の保持部材を本体に保持すると共に他方の保持部材をカバーに保持し、カバーが本体から外れた場合であっても一対の保持部材によりカバーが本体に連結された状態で作業を行うことを特徴とする街路灯取扱方法。
【発明の詳細な説明】
【技術分野】
【０００１】
本発明は街路灯の作業、例えば管球交換時に街路灯のカバーの落下を防止可能な、街路灯カバー落下防止具及び街路灯取扱方法に関する。
【背景技術】
【０００２】
電柱等に備えられている街路灯は通常カバーにより覆われ、管球交換等の際にはカバーを開く必要がある。通常街路灯のカバーは蝶番などの連結部材によって本体に連結されているが、連結部材が経年劣化すると、カバーを開け管球交換等をしている間に連結部材が破損しカバーが落下する虞がある。
【０００３】
そこで高所での作業における落下防止方法としては落下物受止めネットで落下物を受け止める方法がある（特許文献１参照）。これにより、街路灯カバーの落下による人や物の損傷や、落下した街路灯カバー自体の破損や紛失を防ぐことが可能である。
【０００４】
【特許文献１】特開平９−１５４９６４号公報
【発明の開示】
【発明が解決しようとする課題】
【０００５】
しかし、ネットにより落下物を受け止める落下防止方法では、ネットの設置に手間や大掛かりな装置を要したり、作業の邪魔になるためネットを使用できなかったり、ネットで受止めた落下物の回収に手間がかかり、落下物を瞬時に拾得し再度利用することが困難であったりといった不具合が生じていた。
【０００６】
本発明は上記の課題に鑑み、より簡単で手軽に使用可能であり作業の邪魔にならずに確実に街路灯カバーの落下を防ぐことが可能な街路灯カバー落下防止具及び街路灯取扱方法を提供することを目的とする。
【課題を解決するための手段】
【０００７】
上記課題を解決する本発明の第１の態様は、灯具が設けられる本体に開閉自在にカバーを取付けた街路灯に用いられ、本体もしくはカバーを挟持する保持部材を二個備え、二個の保持部材を紐部材で連結し、カバーと本体のそれぞれに保持部材を挟持させることを特徴とする街路灯カバー落下防止具にある。
【０００８】
かかる第１の態様では、街路灯の管球交換時に使用が簡単な落下防止具によって街路灯カバーの落下による街路灯カバーの破損や落下した街路灯カバーによる人や物の損傷を容易に防ぐことができ、また落下した街路灯カバーを簡単に拾得することが可能となる。
【０００９】
本発明の第２の態様は、第１の態様の街路灯カバー落下防止具において、保持部材には本体もしくはカバーを挟持する弾性吸着手段が対向して備えられていることを特徴とする街路灯カバー落下防止具にある。
【００１０】
かかる第２の態様では、対向する一対の挟持部を有し保持面に弾性吸着手段を有する保持部材によって容易に街路灯カバー及び街路灯本体を挟持して街路灯カバーを街路灯本体に連結させ、街路灯カバーの落下を防止することができる。
【００１１】
本発明の第３の態様は、第１または２の態様の街路灯カバー落下防止具において、保持部材は、一対の挟持部が弾性力により互いに当接する方向に付勢されてなるピンチ部材であることを特徴とする街路灯カバー落下防止具にある。
【００１２】
かかる第３の態様では、弾性力により保持力が得られるので、挟む作業だけで装着でき、容易に街路灯カバー及び街路灯本体を挟持して街路灯カバーを街路灯本体に連結させ、街路灯カバーの落下を防止することができる。
【００１３】
本発明の第４の態様は、灯具が設けられる本体に開閉自在にカバーを取付けた街路灯を取扱うに際し、紐部材で連結された一対の保持部材を用い、カバーを開いた時に一方の保持部材を本体に保持すると共に他方の保持部材をカバーに保持し、カバーが本体から外れた場合であっても一対の保持部材によりカバーが本体に連結された状態で作業を行うことを特徴とする街路灯取扱方法にある。
【００１４】
かかる第４の態様では、街路灯カバーの落下による街路灯カバーの破損や落下した街路灯カバーによる人や物の損傷を防ぐことができ、また落下した街路灯カバーを簡単に拾得することが可能となる。
【発明の効果】
【００１５】
本発明によれば、街路灯の管球交換時等の街路灯のカバーを開け作業を行う場合において、簡単な構造で安価に作製でき手軽に使用可能な落下防止具を用いることにより、容易に街路灯カバーの落下による街路灯カバーの破損や、落下した街路灯カバーによる人や物の損傷を防ぐことができ、また落下した街路灯カバーを簡単に拾得することが可能となる。
【発明を実施するための最良の形態】
【００１６】
以下、本発明の実施形態を図１〜図６に基づき説明する。
【００１７】
図１に本発明の街路灯カバー落下防止具が適用される街路灯の側面図、図２に街路灯のカバーを開けた状態の側面図、図３に街路灯カバー落下防止具を街路灯に設置した状態の側面図、図４に街路灯カバー落下防止具の詳細図を示す。
【００１８】
図１、図２に示すように、街路灯１は管球が取付けられる本体２がカバー３により覆われ、本体２とカバー３は連結部材である蝶番４によって連結されている。また、本体２は電柱取付バンド５により電柱６に取付けられる。図２のように街路灯１のカバー３が開けられた状態において、本体２とカバー３を連結する蝶番４が経年劣化している場合、カバーを開け管球交換等の作業をしている間に蝶番４が破損し、カバー３が本体２から外れ落下してしまう虞がある。
【００１９】
そこで図３のように、カバー３を開けた後、図４の街路灯カバー落下防止具１０を用いて本体２にカバー３が連結される。街路灯カバー落下防止具１０は二個の保持部材１１及び紐１２からなり、紐１２の両端に保持部材１１が取付けられている。紐１２で連結された二個の保持部材１１により本体２とカバー３がそれぞれ挟持され、街路灯カバー落下防止具１０を介して本体２とカバー３が連結される。したがって、街路灯１の蝶番４の経年劣化等によりカバー３が本体２から外れた場合においても、本体２にカバー３が吊り下げられた状態になり、カバー３の落下を防止することができる。
【００２０】
図４に基づいて街路灯カバー落下防止具１０を詳細に説明する。本発明の本実施形態における街路灯カバー落下防止具１０はピンチ状である。街路灯カバー落下防止具１０は保持部材１１を有し、保持部材は一対のピンチ片１３及びねじりバネ１４からなる。一対のピンチ片１３はねじりバネ１４により付勢されている。各々のピンチ片１３の端部に挟持部１５を有し、挟持部１５には吸着手段としての吸盤１６が設けられ、吸盤１６の周辺部に保持面１７が設けられた状態になっている。したがってカバー３もしくは本体２は、ねじりバネ１４による弾性力、吸盤１６の吸着力、及び保持面１７の摩擦力の各々によって確実に保持される。
【００２１】
また、蝶番４が電柱６と反対側に設けられている街路灯１において、本体２及びカバー３の電柱６から遠く蝶番４に近い場所を街路灯カバー落下防止具１０により保持することで、カバー３が落下した場合においても電柱６に衝突しにくい位置にカバー３を保持することができる。
【００２２】
本実施形態における街路灯カバー落下防止具１０の挟持部１５は全体が１個の吸盤１６になっているが、保持面１７に多数の吸盤が設けられていても良い。
【００２３】
また、本実施形態における街路灯カバー落下防止具１０の保持部材１１はピンチ状であるが、図５、図６の通りクランプ状であっても良い。
【００２４】
図５にクランプ状の保持部材２１を有する街路灯カバー落下防止具２０を用いて本体２にカバー３を連結した状態を示す。街路灯カバー落下防止具２０は街路灯カバー落下防止具１０と同様に二個の保持部材２１及び紐２２からなり、紐２２の両端に保持部材２１が取付けられている。紐２２で連結された二個の保持部材２１により本体２とカバー３を挟持することで、本体２とカバー３を連結することが可能となる。
【００２５】
図６にクランプ状の保持部材２１を有する街路灯カバー落下防止具２０の詳細を示す。保持部材２１は二個のアーム２４、挟持部２５、ネジ２８、及び圧縮バネ２９からなり、ネジ２８の締付によって挟持部２５を本体２もしくはカバー３に挟みつけて装着することが可能である。挟持部２５は弾性体からなり、挟持部２５の保持面２７における摩擦力によってより確実に本体２及びカバー３が保持される。カバー３を再び閉じて管球交換作業等を終える際には、ネジ２８を緩めることにより圧縮バネ２９の弾性力によって容易に挟持部２５同士が放され、街路灯カバー落下防止具２０を取り外すことができる。
【図面の簡単な説明】
【００２６】
【図１】街路灯カバー落下防止具が適用される街路灯の側面図である。
【図２】街路灯のカバーを開けた状態の側面図である。
【図３】本実施形態における街路灯カバー落下防止具を街路灯に設置した状態の側面図である。
【図４】本実施形態における街路灯カバー落下防止具の詳細図である。
【図５】他の実施形態における街路灯カバー落下防止具を街路灯に設置した状態の側面図である。
【図６】他の実施形態における街路灯カバー落下防止具の詳細図である。
【符号の説明】
【００２７】
１    街路灯
２    本体
３    カバー
４    蝶番
５    電柱取付バンド
６    電柱
１０、２０  街路灯カバー落下防止具
１１、２１  保持部材
１２、２２  紐
１３  ピンチ片
１４  ねじりバネ
１５、２５  挟持部
１６  吸盤
１７、２７  保持面
２４  アーム
２８  ネジ
２９  圧縮バネ
【図１】
2007128780.tif 000003
【図２】
2007128780.tif 000004
【図３】
2007128780.tif 000005
【図４】
2007128780.tif 000006
【図５】
2007128780.tif 000007
【図６】
2007128780.tif 000008